(57)【要約】【課題】冷却効率を高めるとともに、ファンの回転音を目立たなくさせることが可能な情報記録媒体処理装置及びその制御方法を提供する。【解決手段】情報記録媒体に対する情報の読み出し動作又は書き込み動作を実行する装置本体が収容される筐体１０と、筐体１０の内部を冷却する冷却ファン２６と、情報記録媒体に対する情報の読み出し動作又は書き込み動作に関連して動くモータ２２と、モータ２２の駆動を制御するモータドライバ２１と、を有し、モータ２２の駆動を契機として、冷却ファン２６が回転する。【選択図】図２
2009003523.tif 000002
【特許請求の範囲】
【請求項１】
情報記録媒体に対する情報の読み出し動作又は書き込み動作を実行する装置本体が収容される筐体と、
前記筐体の内部を冷却する冷却ファンと、
情報記録媒体に対する情報の読み出し動作又は書き込み動作に関連して動く可動部材と、
前記可動部材の駆動を制御する制御手段と、を有し、
前記可動部材の駆動を契機として、前記冷却ファンが回転することを特徴とする情報記録媒体処理装置。
【請求項２】
前記可動部材の駆動を契機として、前記冷却ファンが回転し始めることを特徴とする請求項１記載の情報記録媒体処理装置。
【請求項３】
前記可動部材には、情報記録媒体を搬送する際に回転駆動されるモータが含まれることを特徴とする請求項１又は２記載の情報記録媒体処理装置。
【請求項４】
前記可動部材には、情報記録媒体の表面に設けられたＩＣ接点端子に接触するＩＣ接点を、情報記録媒体に対して接近又は離反させるＩＣ接点機構が含まれることを特徴とする請求項１から３のいずれか記載の情報記録媒体処理装置。
【請求項５】
前記可動部材には、情報記録媒体の表面に対して印字を行う印字ヘッドを、情報記録媒体に対して接近又は離反させる印字ヘッド機構が含まれることを特徴とする請求項１から４のいずれか記載の情報記録媒体処理装置。
【請求項６】
前記制御手段が前記可動部材の駆動信号を検知したときに、前記冷却ファンが回転することを特徴とする請求項１から５のいずれか記載の情報記録媒体処理装置。
【請求項７】
前記可動部材を駆動する際の消費電流が一定レベル以上になったとき、前記冷却ファンが回転することを特徴とする請求項１から６のいずれか記載の情報記録媒体処理装置。
【請求項８】
情報記録媒体に対する情報の読み出し動作又は書き込み動作を実行する装置本体が収容される筐体と、前記筐体の内部を冷却する冷却ファンと、情報記録媒体に対する情報の読み出し動作又は書き込み動作に関連して動く可動部材と、前記可動部材の駆動を制御する制御手段と、を有する情報記録媒体処理装置の制御方法であって、
前記可動部材の駆動を契機として、前記冷却ファンを回転させることを特徴とする情報記録媒体処理装置の制御方法。
【発明の詳細な説明】
【技術分野】
【０００１】
本発明は、冷却用のファンを有する情報記録媒体処理装置及びその制御方法に関する。
【背景技術】
【０００２】
近年、カードリーダなどの情報記録媒体処理装置の高性能化・高機能化に伴って、その内部にある電子部品（例えばＣＰＵなど）の発熱量が増加してきている。そのため、ファンによる効率のよい空冷の重要性が今まで以上に増してきている。装置内を冷却するためのファン制御には、例えば、電源投入後に常時ファンを回して、装置内の回路や電源などを冷却する手法がある。しかし、この方法だと、電源投入後からファンを回し続けることになり、消費電力が大きくなってしまう。
【０００３】
そこで、例えば特許文献１に開示された技術がある。特許文献１に開示された冷却装置は、筐体内部の温度を検出する温度センサを備えており、筐体内の温度が上昇するとファンが回転し、筐体内部を冷却するようになっている。他にも、例えば特許文献２に開示された冷却ファン制御装置は、ヒューズ，ヒューズ抵抗又は抵抗などを用いて電流値を計測し、計測結果に沿ってファンの回転数を変化させるようにしている。したがって、電流値が低くなる待機時には、ファンは低速回転し、電流値が高くなる（消費電流が上がる）モータ動作時には、ファンは高速回転する。
【０００４】
このように、常時ファンを回転させるのではなく、最適なタイミングでファンを回転させたり、状況に応じてファンの回転数を変化させたりすることによって、消費電力を小さくすることができる。
【０００５】
【特許文献１】特開２００２−１５７０４９号公報
【特許文献２】特開平５−２０１１０２号公報
【発明の開示】
【発明が解決しようとする課題】
【０００６】
しかしながら、特許文献１に開示された冷却装置は、温度検知回路も含めて上述した温度センサが必要になる。その結果、部品点数が増え、製造コストが嵩んでしまう。
【０００７】
一方、特許文献２に開示された冷却ファン制御装置は、温度センサを必要とせず、また、ファンの回転数を変化させて冷却効率を高めるものであるため、高い有用性がある。しかし、消費電流が大きいことのみを契機としてファンを回転させたのでは、例えば、深夜のホテルロビーや図書館などの静かな場所等でファンの耳障りな回転音が目立つ場合があり、この場合、ファンの回転音が人に対して不快感を生じさせる虞がある。
【０００８】
本発明は、このような点に鑑みてなされたものであり、その目的は、ファンの回転音を目立たなくさせることが可能な情報記録媒体処理装置及びその制御方法を提供することにある。
【課題を解決するための手段】
【０００９】
以上のような課題を解決するために、本発明は、以下のものを提供する。
【００１０】
（１）  情報記録媒体に対する情報の読み出し動作又は書き込み動作を実行する装置本体が収容される筐体と、前記筐体の内部を冷却する冷却ファンと、情報記録媒体に対する情報の読み出し動作又は書き込み動作に関連して動く可動部材と、前記可動部材の駆動を制御する制御手段と、を有し、前記可動部材の駆動を契機として、前記冷却ファンが回転することを特徴とする情報記録媒体処理装置。
【００１１】
本発明によれば、筐体と、筐体の内部を冷却する冷却ファンと、筐体内に挿入された情報記録媒体に対する情報の読み出し動作又は書き込み動作に関連して動く可動部材と、可動部材の駆動を制御する制御手段と、を有する情報記録媒体処理装置で、この可動部材の駆動を契機として（例えば、可動部材へ駆動電流が供給されると同時に）、冷却ファンが回転することとしたので、冷却ファンの回転音を目立たなくさせることができる。
【００１２】
すなわち、情報記録媒体に対する情報の読み出し動作又は書き込み動作が行われる際、これに関連して可動部材が動いている最中に（例えば、搬送用のモータが回転している最中に）冷却ファンが回転することとしたので、冷却ファンの回転音を可動部材の駆動音によって紛らわすことができ（或いは相対的に小さくすることができ）、ひいては冷却ファンの回転音を目立たなくさせることができる。その結果、深夜のホテルロビーや図書館などの静かな場所であっても、冷却ファンの回転音が人に対して不快感を生じさせるのを防ぐことができる。
【００１３】
なお、本発明は、可動部材を駆動していない際に冷却ファンが回転することを排除する趣旨ではない。ただし、可動部材を駆動している時間帯を中心に冷却ファンが回転することによって、筐体内の発熱が比較的大きくなるときに集中的に冷却することができ、ひいては冷却効率を高めることができる。また、上述した従来技術のように、温度センサを用いなくてもよいので、温度確認部品や温度確認用回路が不要になり、ひいては部品点数及び製造コストの削減に寄与することができる。
【００１４】
ここで、「可動部材の駆動を契機として、冷却ファンが回転する」とは、可動部材を駆動するタイミングで、冷却ファンの回転数に何らかの変化が生じることを意味する。例えば、可動部材を駆動するタイミングで、停止していた冷却ファン（回転数０）が所定の回転数で回転し始める態様であってもよい。また、可動部材を駆動するタイミングで、"低速"回転していた冷却ファンが"高速"回転し始める態様であってもよい。
【００１５】
また、「可動部材の駆動を契機として」については、可動部材の駆動と同時であってもよいし、可動部材の駆動直後であってもよいし、或いは、可動部材の駆動直前であってもよい。すなわち、可動部材を駆動しようとすること又は可動部材を駆動したことが契機となって、冷却ファンの回転数が変化すれば足りる。
【００１６】
（２）  前記可動部材の駆動を契機として、前記冷却ファンが回転し始めることを特徴とする情報記録媒体処理装置。
【００１７】
本発明によれば、可動部材の駆動を契機として、冷却ファンが回転し始めることとしたので、ファンの回転音が目立たなくなる最適なタイミングで、停止していた冷却ファンの回転を開始させることができる。
【００１８】
（３）  前記可動部材には、情報記録媒体を搬送する際に回転駆動されるモータが含まれることを特徴とする情報記録媒体処理装置。
【００１９】
本発明によれば、上述した可動部材にモータが含まれるので、冷却ファンの回転音を、モータの回転音で紛らわす（或いは相対的に小さくする）ことができる。特に、両者は同じ"回転音"であるので、筐体内における冷却ファンとモータの配置関係を調整することで、冷却ファンの回転音を効果的に紛らわすことができる。
【００２０】
（４）  前記可動部材には、情報記録媒体の表面に設けられたＩＣ接点端子に接触するＩＣ接点を、情報記録媒体に対して接近又は離反させるＩＣ接点機構が含まれることを特徴とする情報記録媒体処理装置。
【００２１】
本発明によれば、上述した可動部材にＩＣ接点機構が含まれるので、冷却ファンの回転音を、ＩＣ接点機構の駆動音で紛らわせることができる（例えば、ＩＣ接点がソレノイドによって稼動する機種があるが、この機種において、ＩＣカードとＩＣ接点を、ソレノイドを含む稼動部の音とともに接触させ、かつ、冷却ファンを回転させることで、冷却ファンの回転音を紛らわせることができる）。
【００２２】
（５）  前記可動部材には、情報記録媒体の表面に対して印字を行う印字ヘッドを、情報記録媒体に対して接近又は離反させる印字ヘッド機構が含まれることを特徴とする情報記録媒体処理装置。
【００２３】
本発明によれば、上述した可動部材に印字ヘッド機構が含まれるので、冷却ファンの回転音を、印字ヘッド機構の駆動音で紛らわせることができる（すなわち、例えば、冷却ファンの回転音を、ユーザにとって通常の機械音として認識させ、騒音として感じさせないようにすることができる）。
【００２４】
（６）  前記制御手段が前記可動部材の駆動信号を検知したときに、前記冷却ファンが回転することを特徴とする記載の情報記録媒体処理装置。
【００２５】
本発明によれば、上述した制御手段によって、可動部材の駆動信号が検知されたときに、冷却ファンが回転することとしたので、可動部材の駆動に起因して熱の発生が予想されるときに、冷却ファンを回転させることができ、ひいては冷却効率を高めつつ、冷却ファンの回転音を目立たなくさせることができる。
【００２６】
（７）  前記可動部材を駆動する際の消費電流が一定レベル以上になったとき、前記冷却ファンが回転することを特徴とする記載の情報記録媒体処理装置。
【００２７】
本発明によれば、可動部材を駆動する際の消費電流が一定レベル以上になったとき、冷却ファンが回転することとしたので、その消費電流の増加に伴って筐体内の温度が高温になると予測されるときに、冷却ファンが回転することとなり、ひいては筐体内部の冷却を効果的に行うことができる。
【００２８】
（８）  情報記録媒体に対する情報の読み出し動作又は書き込み動作を実行する装置本体が収容される筐体と、前記筐体の内部を冷却する冷却ファンと、情報記録媒体に対する情報の読み出し動作又は書き込み動作に関連して動く可動部材と、前記可動部材の駆動を制御する制御手段と、を有する情報記録媒体処理装置の制御方法であって、前記可動部材の駆動を契機として、前記冷却ファンを回転させることを特徴とする情報記録媒体処理装置の制御方法。
【００２９】
本発明によれば、可動部材の駆動を契機として、冷却ファンを回転させる制御を行うこととしたので、冷却ファンの回転音を目立たなくさせることができる。
【発明の効果】
【００３０】
本発明に係る情報記録媒体処理装置及びその制御方法は、以上説明したように、可動部材を駆動するタイミングで冷却ファンが回転することとしたので、冷却ファンの回転音を目立たなくさせることができ、ひいては冷却ファンの回転音が人に対して不快感を生じさせるのを防ぐことができる。
【発明を実施するための最良の形態】
【００３１】
以下、本発明を実施するための最良の形態について、図面を参照しながら説明する。
【００３２】
［第１実施形態］
図１は、本発明の第１の実施の形態に係る情報記録媒体処理装置１の概要を示す構成図である。なお、本実施形態では、情報記録媒体処理装置１に収容される装置本体として、内蔵カードリーダライタ１００を考えたが、本発明はこれに限られず、例えばプリンタであってもよい。この場合、プリンタケースが「筐体」となり、熱転写する際に回転駆動される回転ドラムが「可動部材」となり、情報記録媒体が「紙」となる。
【００３３】
図１において、情報記録媒体処理装置１は、その筐体１０内に、例えばカードや小切手などの情報記録媒体に対する情報の読み出し動作又は書き込み動作を実行する内蔵カードリーダライタ１００と、インターフェースケーブル１２及び冷却ファン２６に接続された基板１１０と、内蔵カードリーダライタ１００及び基板１１０に接続された電源１２０と、電源用の基板１３０と、基板１３０に接続されるインレット１５０と、筐体１０の内部を冷却する冷却ファン２６と、を有している。その他、表示用ＬＥＤ１１，シャッタ１８０，ソレノイド２７，電源スイッチ１４０，仕切り板１７０などを有している。
【００３４】
内蔵カードリーダライタ１００には基板（ＣＰＵ）１０１が設けられ、この基板１０１は、モータ制御，ソレノイド制御，ファン制御，磁気データ読み書き及びＬＥＤ制御など、各種制御を行う。また、内蔵カードリーダライタ１００には、情報記録媒体に対して磁気情報を読み出したり書き込んだりする磁気ヘッド１０２，１０３と、搬送路に臨む搬送ローラ（図示せず）を回転させ、情報記録媒体を搬送する際に回転駆動されるモータ２２と、情報記録媒体の表面に設けられたＩＣ接点端子に接触するＩＣ接点（図示せず）を、情報記録媒体に対して接近又は離反させるＩＣ接点機構１０５と、情報記録媒体の表面に対して印字を行う印字ヘッドを、情報記録媒体に対して接近又は離反させる印字ヘッド機構１０６と、を有している。
【００３５】
なお、ＩＣ接点機構１０５や印字ヘッド機構１０６は、必要なければ取り除いても構わない。また、図１では、ＩＣ接点機構１０５はモータ２２の真下に配置されているように記載されているが、これは説明の便宜上のものであって、実際はどこに配置されていても構わない。
【００３６】
内蔵カードリーダライタ１００の基板１０１には、筐体１０から表出した表示用ＬＥＤ１１が接続されている。また、内蔵カードリーダライタ１００の基板１０１には、情報記録媒体処理装置１の内部に設けられたシャッタ１８０を開閉させる際に変位駆動されるソレノイド２７と電気的に接続されている（図１では配線は図示せず）。詳細な電気的構成については後述する。
【００３７】
また、内蔵カードリーダライタ１００には、ファン電源供給回路１１１及びインターフェースコネクタ１１２を有する基板１１０が接続されている。ファン電源供給回路１１１には冷却ファン２６が、インターフェースコネクタ１１２にはインターフェースケーブル１２が、それぞれ接続されている。このインターフェースケーブル１２は、上位装置（例えば銀行のＡＴＭなど）に接続され、上位装置からのコマンドは、基板１１０のインターフェースコネクタ１１２を介して内蔵カードリーダライタ１００に送られる。そして、内蔵カードリーダライタ１００からの指令に基づいて、ファン電源供給回路１１１によって冷却ファン２６に駆動電流が流れる。これにより、冷却ファン２６が回転する。
【００３８】
なお、内蔵カードリーダライタ１００及び基板１１０への電力供給を行う電源１２０，電源用の基板１３０，インレット１５０であるが、コンセント１３及びインレット１５０を介して入力される交流電圧（１００Ｖ〜２４０Ｖ）は、ヒューズ，バリスタ及びノイズフィルター等を有する電源用の基板１３０によって電圧調整され、電源１２０によってＤＣ２４ＶにＡ／Ｄ変換される。そして、ＤＣ２４Ｖの電圧が、内蔵カードリーダライタ１００及び基板１１０へ入力される。このようにして、電力供給を行う。次に、情報記録媒体処理装置１の詳細な電気的構成（一例）について説明する。
【００３９】
図２は、本発明の第１の実施の形態に係る情報記録媒体処理装置１の電気的構成を示す回路図である。なお、図２の回路図は、説明の便宜上、情報記録媒体処理装置１が行うモータ制御，ソレノイド制御，ファン制御に着目し、これらに関連する部分の回路図のみを示している。また、図２においては、主要電気要素のみに符号を付している。
【００４０】
図２において、情報記録媒体処理装置１は、モータドライバ２１を有している。このモータドライバ２１には、ＶＲＥＦ端子（４），ＶＣＣ端子（７），ＶＳ端子（８），ＩＮ１端子（５），ＩＮ２端子（６），ＯＵＴ１端子（２），ＯＵＴ２端子（１０），ＮＣ１端子（３），ＮＣ２端子（９），及びＧＮＤ端子（１）が設けられている。なお、電源１２０（図１参照）から出力されるＤＣ２４Ｖの電圧は、ＶＣＣ端子に入力される。また、ＧＮＤ端子は、アースに接続される。
【００４１】
上位装置からのコマンドとして、ＰＷＭ制御信号又はアナログ制御信号が、インターフェースケーブル１２（図１）を介してトランジスタ２３のベース端子に入力され、トランジスタ２３のベース−エミッタ間の電圧が０．７Ｖ以上になると、トランジスタ２３のエミッタからコレクタへコレクタ電流が流れる。そして、このコレクタ電流は、モータドライバ２１のＶＲＥＦ端子に入力される。その後、モータドライバ２１は、ＯＵＴ端子１及びＯＵＴ端子２を介して、モータ２２に対して駆動電流を供給する。これにより、モータ２２が回転し、モータ２２に連結された回転ローラ（図示せず）が回転する結果、挿入された情報記録媒体を搬送路の奥（図１でいうと右方）まで搬送することができる。
【００４２】
なお、モータドライバ２１のＶＲＥＦ端子への入力は、電圧変換の基準として働く。また、本実施形態では、情報記録媒体に対する情報の読み出し又は書き込み動作に関連して動く「可動部材」の一例として、モータ２２を考える（可動部材がＩＣ接点機構１０５であっても、印字ヘッド機構１０６であっても、考え方は同じである）。さらに、このモータ２２の駆動を制御する「制御手段」の一例として、モータドライバ２１を考える。
【００４３】
一方、上位装置からのコマンドとして、モータ２２の回転方向を決める信号も、モータドライバ２１に入力される。より具体的には、上位装置からのコマンドとして、正方向回転信号がＩＮ２端子へ、逆方向回転信号がＩＮ１端子に入力される。これを受けたモータドライバ２１は、モータ２２に対して駆動電流を供給する際に、回転方向をも考慮して供給する。
【００４４】
また、上位装置からのコマンドとして、ソレノイド２７を動作させるためのソレノイド動作信号（電圧）は、ＦＥＴ２８のゲート端子に入力される。そうすると、ＦＥＴ２８がＯＮし、ドレイン電流が流れ、その結果、ソレノイド２７のプランジャが変位して、シャッタ１８０の開閉が行われる。
【００４５】
ここで、上述したソレノイド動作信号は、ソレノイド２７のプランジャを変位させるものであるが、プランジャが変位した後（シャッタ１８０が開いた後）、情報記録媒体を筐体内に取り込むべくモータ２２が動作する。そうすると、このソレノイド動作信号は、モータ２２の駆動の契機になるといえる。また、上述した正方向回転信号，逆方向回転信号は、モータ２２の回転方向を定める信号であることから、これらもモータ２２の駆動の契機になるといえる。
【００４６】
一方、ソレノイド動作信号，正方向回転信号及び逆方向回転信号は、それぞれダイオード２４ａ，ダイオード２４ｂ，ダイオード２４ｃを介して、トランジスタ２５のベース端子にも入力される。そして、トランジスタ２５のベース−エミッタ間の電圧が０．７Ｖ以上になると、トランジスタ２５がＯＮし、コレクタ電流が流れて冷却ファン２６が回転し始める。
【００４７】
このように、上位装置から情報記録媒体処理装置１にソレノイド動作信号，正方向回転信号又は逆方向回転信号が送られてくると、これらがモータ２２の駆動の契機になる。一方、モータ２２の駆動を契機として、冷却ファン２６が回転する。したがって、モータ２２の回転中に、冷却ファン２６を回転させることができ、ひいては冷却ファンの回転音を目立たなくさせることができる。
【００４８】
［第２実施形態］
図３は、本発明の第２の実施の形態に係る情報記録媒体処理装置１の電気的構成を示す回路図である。なお、図２に示す電気要素と同じものについては、同じ符号で示す。また、モータ２２の動作については、図２と同様であるので、その説明を省略する。
【００４９】
図３で特徴的な点は、冷却ファン２６に接続されたトランジスタ２５をＯＮするトリガとして、ＰＷＭ制御信号が用いられている点である。具体的には、ＰＷＭ制御信号が入力されるトランジスタ２３のベース端子と、冷却ファン２６に接続されたトランジスタ２５のベース端子とは、ダイオード２４ｄを介して接続されている。したがって、ＰＷＭ制御信号がＯＮになると、トランジスタ２３のベース−エミッタ間の電圧が０．７Ｖ以上になるとともに、トランジスタ２５のベース−エミッタ間の電圧が０．７Ｖ以上になる。その結果、トランジスタ２３では、エミッタからコレクタへコレクタ電流が流れ（そして、モータ２２に駆動電流が流れ）、トランジスタ２５では、コレクタからエミッタへコレクタ電流が流れ、ひいては、モータ２２の駆動を契機として、冷却ファン２６を回転させることができる。このように、モータドライバ２１が、モータ２２の駆動信号（ＰＷＭ制御信号）を検知したときに、冷却ファン２６を回転させるようにしてもよい。
【００５０】
なお、本実施形態において、モータ２２の回転速度と同速度で冷却ファン２６を回転させることによって、モータ２２の回転状況に応じた消音・放熱効果を奏することができる。
【００５１】
［第３実施形態］
図４は、本発明の第３の実施の形態に係る情報記録媒体処理装置１の電気的構成を示す回路図である。なお、図２に示す電気要素と同じものについては、同じ符号で示す。また、モータ２２の動作については、図２と同様であるので、その説明を省略する。
【００５２】
図４で特徴的な点は、冷却ファン２６がモータドライバ２１のＶＲＥＦ端子に接続されている点である。すなわち、モータドライバ２１のＶＲＥＦ端子の電圧が上がると、冷却ファン２６が回転するようになっている。以下、ＶＲＥＦ端子に入力される電圧に関して、より具体的に説明する。
【００５３】
図４において、ＰＷＭ制御信号又はアナログ制御信号は、点線枠で示す増幅回路５０を通って、モータドライバ２１のＶＲＥＦ端子に入力される（ここではアナログ制御信号だけに着目する）。増幅回路５０は、主に、３個のトランジスタ２３ａ，２３ｂ，２３ｃと、ＩＣ４０と、を有している。アナログ制御信号がＩＣ４０に入力され、ＩＣ４０の出力がトランジスタ２３ａのベース端子に入力され、ベース−エミッタ間の電圧が０．７Ｖ以上になると、トランジスタ２３ａでは、ベース電流のｈＦＥ倍のコレクタ電流（コレクタ→エミッタ）が流れる。そして、トランジスタ２３ｃのベース−エミッタ間の電圧が０．７Ｖ以上になると、トランジスタ２３ｃでは、ベース電流のｈＦＥ倍のコレクタ電流（エミッタ→コレクタ）が流れる。これにより、大電流がモータ２２に供給されることになる。なお、本実施形態では、トランジスタ２３ｃが電流制御、モータドライバ２１が回転方向制御を行っており、モータ２２への大電流による発熱が、トランジスタ２３ｃとモータドライバ２１とで分割されるようになっている。これにより、電流制御と回転方向制御をモータドライバ２１のみで行ったときと比べて、モータドライバ２１の発熱を小さくすることができる。
【００５４】
しかし、仮に、トランジスタ２３ａとトランジスタ２３ｃのみの回路を考えると、回路の個別性能が現れ易いことになる。例えば、環境温度が変わると、モータ２２へ流れる消費電流が変化することになる。そこで、本実施形態では、モータドライバ２１のＶＲＥＦ端子に入力される電圧が一定となるように、フィードバックがかかっている。具体的には、ＩＣ４０において、トランジスタ２３ｃのコレクタ側の電圧（抵抗Ｒ１と抵抗Ｒ２で分圧している点については後述する）と、アナログ制御信号の電圧とを比較する（ただし、両方の電圧はほぼ同じである必要がある）。その結果、アナログ制御信号の方が高電圧ならば、ＩＣ４０が出力を上げることによって、モータ２２への電力供給は増加する。一方で、アナログ制御信号の方が低電圧ならば、ＩＣ４０が出力を下げることによって、モータ２２への電力供給は減少する。このように、ＩＣ４０を活用することによって、環境温度が変わった場合であっても、性能を安定化させることができる。
【００５５】
しかし、仮に、トランジスタ２３ｃのコレクタ端子の電圧（モータ用電源の電圧と同じ＋１２Ｖ）を、そのままアナログ制御信号の電圧（０〜５Ｖ）を比較するとなると、不都合である。したがって、トランジスタ２３ｃのコレクタ側に抵抗Ｒ１及び抵抗Ｒ２を設け、モータドライバ２１へ供給する電圧を約５／１２に分圧し、この電圧（最大５Ｖ）をＩＣ４０にフィードバックさせるようにしている。なお、分圧比に関しては、５／１２以外の値をとっても構わない。
【００５６】
最後に、本実施形態では、電流制限回路としてトランジスタ２３ｂを設けている。具体的に説明すると、モータドライバ２１への供給電流が上がると、抵抗Ｒ３における電圧降下が大きくなる。そして、この電圧降下が０．７Ｖを超えると、トランジスタ２３ｂがＯＮする。その結果、トランジスタ２３ｃのベース端子と電源とが直接接続されたことと同じになり、ベース−エミッタ間の電位差が小さくなる。そして、そのうちトランジスタ２３ｂのベース−エミッタ間の電位差が０．７Ｖ未満になる。これにより、トランジスタ２３ｂのコレクタ電流（エミッタ→コレクタ）は遮断されることになり、モータ２２への電流供給が停止する。このようにして、情報記録媒体処理装置１に、電流制限機能をもたせることができる。
【００５７】
以上説明したように、第３実施形態に掛る情報記録媒体処理装置１では、増幅回路５０に、定電圧制御機能や電圧分割機能、電流制限機能をもたせつつ、モータ２２を駆動する際の消費電流（駆動電流）が一定レベル以上になったとき、冷却ファン２６が回転するようになっている。
【００５８】
［第４実施形態］
図５は、本発明の第４の実施の形態に係る情報記録媒体処理装置１の電気的構成を示す回路図である。なお、図２に示す電気要素と同じものについては、同じ符号で示す。また、モータ２２及びソレノイド２７の動作については、図２と同様であるので、その説明を省略する。
【００５９】
図５で特徴的な点は、ソレノイド動作信号，正方向回転信号又は逆方向回転信号をトリガとして、冷却ファン２６の回転速度が変化する点である。具体的には、通常状態では、冷却ファン２６の消費電流は抵抗Ｒ４を流れており、冷却ファン２６は低速回転をしている。図２で説明したように、ソレノイド動作信号，正方向回転信号又は逆方向回転信号によってトランジスタ２５がＯＮすると、冷却ファン２６の消費電流は、トランジスタ２５のコレクタ電流となって増大する。したがって、冷却ファン２６は高速回転することになる。
【００６０】
このように、上位装置からソレノイド動作信号，正方向回転信号又は逆方向回転信号が送られてきたタイミング、すなわちモータ２２を駆動するタイミングで、冷却ファン２６を低速回転から高速回転へと遷移させてもよい。
【００６１】
［第５実施形態］
図６は、本発明の第５の実施の形態に係る情報記録媒体処理装置１の電気的構成を示す回路図である。なお、図２に示す電気要素と同じものについては、同じ符号で示す。また、モータ２２及びソレノイド２７の動作については、図２と同様であるので、その説明を省略する。
【００６２】
図６に示す回路図は、ソレノイド２７を動作させる回路と、モータ２２を駆動する回路と、冷却ファン２６を回転させる回路とが互いに独立している。すなわち、上位装置（のＣＰＵ）は、ソレノイド２７の動作状況や、モータ２２の動作状況を把握していることから、その状況に基づいて、直接冷却ファン２６の回転を制御する。このように、モータ２２の駆動を契機として、上位装置によって冷却ファン２６が回転するようにしてもよい。
【００６３】
［第６実施形態］
図７は、本発明の第６の実施の形態に係る情報記録媒体処理装置１の電気的構成を示す回路図である。なお、図２に示す電気要素と同じものについては、同じ符号で示す。また、モータ２２及びソレノイド２７の動作については、図２と同様であるので、その説明を省略する。
【００６４】
図７で特徴的なのは、なるべく部品点数を減らす観点から、回路をシンプル化している点である。図７では、モータドライバ２１のＶＲＥＦ端子の電圧に準じて、モータ２２への供給電圧が変わる。よって、モータ２２への供給電圧が高いとき、冷却ファン２６への供給電圧も高くなる。このように、モータ２２の回転数が上げると冷却ファン２６の回転数も上がるようにして、冷却効率を高めることができる。
【００６５】
以上、第１実施形態から第６実施形態までは、冷却ファン２６を駆動させるにあたって、ソレノイド動作信号や、逆方向回転信号又は正方向回転信号を用いているが、例えば、カード挿入検知センサにカードが挿入されたことを検知すると同時に（これにより、モータが駆動する）、冷却ファン２６を回転させることも可能である。
【００６６】
［制御方法の流れ］
図８は、カード挿入時における情報記録媒体処理装置１の制御方法の流れを示すフローチャートである。
【００６７】
図８において、まず、ホスト（上位装置）側からカードリーダライタ（内蔵カードリーダライタ１００）へ、カード挿入コマンドが送信され（ステップＳ１）、カードリーダライタはこれを受信する（ステップＳ２）。
【００６８】
次いで、カード挿入が行われると（ステップＳ３）、カードリーダライタにおいてカード挿入検知が行われる（ステップＳ４）。カード挿入が検知されると、ソレノイド２７によってシャッタ１８０がオープンになる（ステップＳ５）。すると、モータ２２が回転し、カード搬送が開始されると同時に、冷却ファン２６が回転を始める（ステップＳ６）。
【００６９】
その後、ソレノイド２７によってシャッタ１８０がクローズし（ステップＳ７）、磁気データの読み取りが開始される（ステップＳ８）。磁気データの読み取りが終了すると（ステップＳ９）、モータ２２の回転が停止し（ステップ１０）、磁気データがカードリーダライタからホストへと送られる（ステップＳ１１，１２）。最後に、任意の時間を待って（ステップＳ１３。例えば６〜１０秒待つ。筐体１０が冷めるのを待つための時間であるが、設定は任意である）、冷却ファン２６の回転が停止する（ステップＳ１４）。
【００７０】
図９は、カード磁気データ書き込み処理時における情報記録媒体処理装置１の制御方法の流れを示すフローチャートである。
【００７１】
図９において、まず、カード書き込みコマンドがホストから送信される（ステップＳ２１）。これを受信したカードリーダライタは（ステップＳ２２）、モータ２２を回転させて、カード搬送を行うと同時に、冷却ファン２６を回転させる（ステップＳ２３）。その後、磁気データの書き込みを開始し（ステップＳ２４）、これが終了すると（ステップＳ２５）、モータ２２を逆回転させる（ステップＳ２６）。そして、今度は磁気データの読み取りを開始し（ステップＳ２７）、これが終了すると（ステップＳ２８）、モータ２２の回転を停止する（ステップＳ２９）。
【００７２】
次に、書き込み合否結果をホストに対して送信し（ステップＳ３０）、ホストがこれを受信する（ステップＳ３１）。このとき、カードリーダライタでは、任意の時間待ち（例えば６〜１０秒）を経て（ステップＳ３２）、冷却ファン２６の回転が停止する（ステップＳ３３）。
【００７３】
図１０は、カード排出時における情報記録媒体処理装置１の制御方法の流れを示すフローチャートである。
【００７４】
図１０において、まず、カード排出コマンドがホストから送信される（ステップＳ４１）。これを受信したカードリーダライタは（ステップＳ４２）、ソレノイド２７によってシャッタ１８０をオープンにすると同時に、冷却ファン２６を回転させる（ステップＳ４３）。その後、モータ２２を逆回転させ、（カードを排出する方向へ）カード搬送を行う（ステップＳ４４）。カードを完全に排出すると（ステップＳ４５）、モータ２２の回転が停止し（ステップＳ４６）、ソレノイド２７によってシャッタ１８０がクローズする（ステップＳ４７）。
【００７５】
次に、カード排出の合否をホストに送信し（ステップＳ４８）、ホストはこれを受信する（ステップＳ４９）。このとき、カードリーダライタでは、任意の時間待ち（例えば６〜１０秒）を経て（ステップＳ５０）、冷却ファン２６の回転が停止する（ステップＳ５１）。
【００７６】
図１１は、カード排出時における情報記録媒体処理装置１の制御方法の流れを示すフローチャートである。
【００７７】
図１１において、まず、カード排出コマンドがホストから送信される（ステップＳ６１）。これを受信したカードリーダライタは（ステップＳ６２）、ソレノイド２７によってシャッタ１８０をオープンにすると同時に、冷却ファン２６を回転させる（ステップＳ６３）。その後、モータ２２を逆回転させ、（カードを排出する方向へ）カード搬送を行う（ステップＳ６４）。
【００７８】
次に、カードがゲート部にあることを確認すると（ステップＳ６５）、モータ２２の回転を停止させる（ステップＳ６６）。そして、カード排出の合否をホストに送信するとともに、ソレノイド２７によってシャッタ１８０をクローズする（ステップＳ６７）。一方、ホストはこれを受信する（ステップＳ６８）。このとき、カードリーダライタでは、任意の時間待ち（例えば６〜１０秒）を経て（ステップＳ６９）、冷却ファン２６の回転が停止する（ステップＳ７０）。なお、図１１によれば、冷却ファン２６が停止する前にカード取り出しが可能になる。
【００７９】
以上説明したように、図８〜図１１に示す制御方法によれば、モータ２２が回転し始め、これが回転している最中を中心に、冷却ファン２６を回転させることができる。これにより、冷却ファン２６の回転音をモータ２６の駆動音によって紛らわすことができ（或いは相対的に小さくすることができ）、ひいては冷却ファン２６の回転音を目立たなくさせることができる。
【産業上の利用可能性】
【００８０】
本発明に係る情報記録媒体処理装置及びその制御方法は、冷却ファンの回転音を目立たなくさせることが可能なものとして有用である。
【図面の簡単な説明】
【００８１】
【図１】本発明の第１の実施の形態に係る情報記録媒体処理装置の概要を示す構成図である。
【図２】本発明の第１の実施の形態に係る情報記録媒体処理装置の電気的構成を示す回路図である。
【図３】本発明の第２の実施の形態に係る情報記録媒体処理装置の電気的構成を示す回路図である。
【図４】本発明の第３の実施の形態に係る情報記録媒体処理装置の電気的構成を示す回路図である。
【図５】、本発明の第４の実施の形態に係る情報記録媒体処理装置の電気的構成を示す回路図である。
【図６】本発明の第５の実施の形態に係る情報記録媒体処理装置の電気的構成を示す回路図である。
【図７】本発明の第６の実施の形態に係る情報記録媒体処理装置の電気的構成を示す回路図である。
【図８】カード挿入時における情報記録媒体処理装置の制御方法の流れを示すフローチャートである。
【図９】カード磁気データ書き込み処理時における情報記録媒体処理装置の制御方法の流れを示すフローチャートである。
【図１０】カード排出時における情報記録媒体処理装置の制御方法の流れを示すフローチャートである。
【図１１】カード排出時における情報記録媒体処理装置の制御方法の流れを示すフローチャートである。
【符号の説明】
【００８２】
１  情報記録媒体処理装置
１０  筐体
２１  モータドライバ
２２  モータ
２３，２５  トランジスタ
２４  ダイオード
２６  冷却ファン
２７  ソレノイド
２８  ＦＥＴ
【図１】
2009003523.tif 000003
【図２】
2009003523.tif 000004
【図３】
2009003523.tif 000005
【図４】
2009003523.tif 000006
【図５】
2009003523.tif 000007
【図６】
2009003523.tif 000008
【図７】
2009003523.tif 000009
【図８】
2009003523.tif 000010
【図９】
2009003523.tif 000011
【図１０】
2009003523.tif 000012
【図１１】
2009003523.tif 000013